(57)【要約】【課題】多数のＣＣを束ねるＣＡを行う場合に、ＣＣ制御を効率的に行う技術を提供する。【解決手段】キャリアアグリゲーションをサポートする移動通信システムにおいて、基地局と通信を行うユーザ装置であって、前記基地局から受信するメッセージに基づいて、前記キャリアアグリゲーションにおけるセルグループ及びセルを設定する設定部と、前記基地局から、特定のセルグループに属するいずれか１つのセルをアクティブ化又は非アクティブ化する制御信号を受信し、前記特定のセルグループに属するいずれかの１つのセルをアクティブ化又は非アクティブ化する制御部と、を有するユーザ装置を提供する。【選択図】図１１
2016143923.tif 000002
【特許請求の範囲】
【請求項１】
キャリアアグリゲーションをサポートする移動通信システムにおいて、基地局と通信を行うユーザ装置であって、
前記基地局から受信するメッセージに基づいて、前記キャリアアグリゲーションにおけるセルグループ及びセルを設定する設定部と、
前記基地局から、特定のセルグループに属するいずれか１つのセルをアクティブ化又は非アクティブ化する制御信号を受信し、前記特定のセルグループに属するいずれかの１つのセルをアクティブ化又は非アクティブ化する制御部と、
を有するユーザ装置。
【請求項２】
前記制御信号は、前記特定のセルグループと前記特定のセルグループとは異なるセルグループとを識別する第一の情報と、セルを特定する第二の情報とを含み、
前記制御部は、前記第一の情報に基づいて、前記第二の情報で特定されるセルのセルグループを識別する、請求項１に記載のユーザ装置。
【請求項３】
前記制御信号は、セルを特定する情報を含み、
前記設定部は、複数のセルグループを設定し、
前記制御部は、前記制御信号で特定されるセルを、前記制御信号を受信したセルが属するセルグループに含まれているセルであると認識する、請求項１に記載のユーザ装置。
【請求項４】
前記設定部は、前記特定のセルグループに含まれるセルのうちいずれか１つの第一のセルと、前記特定のセルグループとは異なる第二のセルグループとを対応づけて記憶し、
前記制御部は、前記制御信号を前記第一のセルで受信した場合に、前記第二のセルグループに含まれるセルをアクティブ化又は非アクティブ化する、請求項１に記載のユーザ装置。
【請求項５】
前記制御信号は、セルグループを指定する情報を含み、
前記制御部は、前記制御信号で指定されるセルグループに含まれるセルのうち、いずれか一つのセルをアクティブ化又は非アクティブ化する、請求項１に記載のユーザ装置。
【請求項６】
キャリアアグリゲーションをサポートする移動通信システムにおいて、基地局と通信を行うユーザ装置であって、
前記基地局から受信するメッセージに基づいて、前記キャリアアグリゲーションにおけるセルグループ及びセルを設定する設定部と、
前記基地局に対して、セルの余剰電力に関する情報を含む制御信号を、当該セルが属する所定のセルグループが特定されるように送信する送信部と、
を有するユーザ装置。
【請求項７】
前記送信部は、前記制御信号を、前記所定のセルグループに含まれるセルのうち、いずれか１つのセルを介して送信する、請求項６に記載のユーザ装置。
【請求項８】
前記制御信号は、前記所定のセルグループに含まれるセルの送信電力と、前記所定のセルグループとは異なるセルグループに含まれるセルの送信電力とを含み、
前記送信部は、前記制御信号を、前記所定のセルグループに含まれるセルを介して送信する、請求項６に記載のユーザ装置。
【請求項９】
キャリアアグリゲーションをサポートする移動通信システムにおいて、基地局と通信を行うユーザ装置であって、
前記基地局から受信するメッセージに基づいて、前記キャリアアグリゲーションにおけるセルグループ及びセルを設定する設定部と、
前記基地局から、所定のセルグループに含まれる複数のタイミングアドバンスグループのうち、いずれか１つのタイミングアドバンスグループを制御するコマンドが含まれる制御信号を受信し、当該制御信号に含まれるコマンドに従ってアップリンク信号の送信タイミングを制御する制御部と、
を有するユーザ装置。
【請求項１０】
前記制御部は、前記所定のセルグループを、前記制御信号を受信したセルが属するセルグループであると認識する、請求項９に記載のユーザ装置。
【発明の詳細な説明】
【技術分野】
【０００１】
本発明は、ユーザ装置が基地局と通信を行うように構成される移動通信システムに関連するものである。
【背景技術】
【０００２】
ＬＴＥシステムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。
【０００４】
ＳＣｅｌｌは、ＰＣｅｌｌに追加されてユーザ装置ＵＥに対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、アクティブ化することで初めて通信可能（スケジューリング可能）となるセルである。
【０００５】
図１に示すように、ＬＴＥのＲｅｌ−１０のＣＡでは、同一基地局ｅＮＢ配下の複数のＣＣを用いている。また、Ｒｅｌ−１０のＣＡでは、例えば図２に示すように、最大で５つのＣＣを束ねることで、広帯域化により高速なデータレートを実現している。また、Ｒｅｌ−１１では、Ｉｎｔｅｒ−ｂａｎｄ  ＣＡを行うＣＣ間で独立かつ異なるタイミング制御を可能とするＭｕｌｔｉｐｌｅ  ＴＡ（ＭＴＡ）を導入し、Ｎｏｎ−ｃｏ−ｌｏｃａｔｅｄなＣＣによるＣＡの最適化を実現している。例えば、図３には、タイミング制御を行う単位であるＴＡＧ（Ｔｉｍｉｎｇ  Ａｄｖａｎｃｅ  Ｇｒｏｕｐ）が２つ（ＴＡＧ＃１、ＴＡＧ＃２）割り当てられていることが示されている。
【０００６】
一方、Ｒｅｌ−１２では、異なる基地局ｅＮＢ配下のＣＣを用いて同時通信を行い、高スループットを実現するＤｕａｌ  ｃｏｎｎｅｃｔｉｖｉｔｙ（二重接続）が提案されている（非特許文献１）。つまり、Ｄｕａｌ  ｃｏｎｎｅｃｔｉｖｉｔｙでは、ユーザ装置ＵＥは、２つの物理的に異なる基地局ｅＮＢの無線リソースを同時に使用して通信を行う。
【０００７】
Ｄｕａｌ  ｃｏｎｎｅｃｔｉｖｉｔｙはＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図４に、Ｄｕａｌ  ｃｏｎｎｅｃｔｉｖｉｔｙの例を示す。図４の例では、ＭｅＮＢがＣＣ＃１でユーザ装置ＵＥと通信を行い、ＳｅＮＢがＣＣ＃２でユーザ装置ＵＥと通信を行うことでＤｕａｌ  ｃｏｎｎｅｃｔｉｖｉｔｙ（以下、ＤＣ）を実現している。
【０００８】
ＤＣにおいて、ＭｅＮＢ配下のセル（１つ又は複数）で構成されるセルグループをＭＣＧ（Ｍａｓｔｅｒ  Ｃｅｌｌ  Ｇｒｏｕｐ、マスターセルグループ）、ＳｅＮＢ配下のセル（１つ又は複数）で構成されるセルグループをＳＣＧ（Ｓｅｃｏｎｄａｒｙ  Ｃｅｌｌ  Ｇｒｏｕｐ、セカンダリセルグループ）と呼ぶ。ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。
【０００９】
例えば、図５には、ＣＧ＃１にＴＡＧ＃１、ＴＡＧ＃２が設定され、ＣＧ＃２にＴＡＧ＃３が設定されている例が示されている。
【先行技術文献】
【非特許文献】
【００１０】
【非特許文献１】３ＧＰＰ  ＴＲ  ３６．８４２  Ｖ１２．０．０  （２０１３−１２）
【発明の概要】
【発明が解決しようとする課題】
【００１１】
従来のＬＴＥの仕様では、ユーザ装置ＵＥあたりＣｏｎｆｉｇｕｒｅ可能なＣＣの数は、最大で５である。
【００１２】
一方、Ｒｅｌ．１３のＬＴＥでは、より柔軟かつ高速な無線通信を実現するため、及び、連続する超広帯域のアンライセンスバンドで、多数のＣＣを束ねられるようにするために、ＣＡにおいて束ねられる最大５ＣＣの制限を取るＣＡ  ｅｎｈａｎｃｅｍｅｎｔが検討されている。例えば、最大で３２ＣＣを束ねるＣＡが検討されている。一例として、図６に、１６ＣＣを束ねる例を示す。
【００１３】
上記のように、ＣＡでサポートするＣＣの数を増加させることで、アクティブ化／非アクティブ化コマンドのビット数を増加させる必要がある等のインパクトが生じる。このようなインパクトを低減するために、複数のＣＣ（セル）をいくつかのセルグループ（ＣＧ）にマッピングしてＣＧ単位で制御を行うことが検討されている。
【００１４】
なお、以下では、ＣＧに含まれるものをセル（例：ＳＣｅｌｌ）とする。各セルは、例えば、１つのＣＣ、もしくは、下りＣＣと上りＣＣとの組とからなるが、以下の説明では、各セルはＣＣと同義と考えてよい。
【００１５】
まず、第一の課題について説明する。ＣＡでは、ユーザ装置ＵＥに設定されているＳＣｅｌｌを、ＭＡＣ制御信号（ＭＡＣ  Ｃｏｎｔｒｏｌ  ｅｌｅｍｅｎｔ（以下、「ＭＡＣ  ＣＥ」という）を用いて、ＳＣｅｌｌごとにアクティブ化又は非アクティブ化することができる。
【００１６】
図７に、ＳＣｅｌｌのアクティブ化又は非アクティブ化に用いられるＭＡＣ  ＣＥのフォーマットを示す。アクティブ化又は非アクティブ化に用いられるＭＡＣ  ＣＥは、１オクテットで構成されており、予約ビット（Ｒ）と、ＳＣｅｌｌを識別するためのＣ１〜Ｃ７までのビットを有する。
【００１７】
しかしながら、現状のＳＣｅｌｌのアクティブ化又は非アクティブ化に用いられるＭＡＣ  ＣＥのフォーマットでは、Ｃ１〜Ｃ７のビットでＳＣｅｌｌを識別している。すなわち、現状のＭＡＣ  ＣＥのフォーマットでは、最大で７つのＳＣｅｌｌしか制御することができず、Ｒｅｌ．１３のＬＴＥのように最大で３２ＣＣを束ねるＣＡには対応することができない。
【００１８】
次に、第二の課題について説明する。ユーザ装置ＵＥは、ＣＣごとの最大送信電力（Ｐｃｍａｘ，ｃ）とＰＨ（Power Headroom）とを含むＭＡＣ  ＣＥを、ＰＵＳＣＨ（Physical Uplink Shared Channel）を介して基地局ｅＮＢに報告している。
【００１９】
図８に、最大送信電力及びＰＨの報告に用いられるＭＡＣ  ＣＥのフォーマットを示す。最大送信電力及びＰＨの報告に用いられるＭＡＣ  ＣＥは、複数のオクテットで構成されており、最初の１オクテットに、ＳＣｅｌｌを識別するためのＣ１〜Ｃ７までのビットを有する。例えば、Ｃ１〜Ｃ７のビットが「１」である場合、それぞれのビットに対応するＳＣｅｌｌの最大送信電力及びＰＨがＭＡＣ  ＣＥに含まれていることを示し、Ｃ１〜Ｃ７のビットが「０」である場合、それぞれのビットに対応するＳＣｅｌｌの最大送信電力及びＰＨがＭＡＣ  ＣＥに含まれていないことを示す。
【００２０】
しかしながら、現状の最大送信電力及びＰＨの報告に用いられるＭＡＣ  ＣＥのフォーマットでは、最大で７つのＳＣｅｌｌに対応する最大送信電力及びＰＨしか報告することができず、Ｒｅｌ．１３のＬＴＥのように、最大で３２ＣＣを束ねるＣＡには対応することができない。
【００２１】
次に、第三の課題について説明する。基地局ｅＮＢは、ユーザ装置ＵＥから送信されるアップリンク（ＵＬ）信号に対してまとめてＦＦＴ処理を行い、信号の復調処理を行っている。しかし、各ユーザ装置ＵＥから基地局ｅＮＢに到達する信号の伝搬遅延は、ユーザ装置ＵＥの位置や移動速度によって異なる。従って、各ユーザ装置ＵＥがダウンリンク（ＤＬ）信号を受信したタイミングでＵＬ送信を行ってしまうと、基地局ｅＮＢで受信されるＵＬ信号のタイミングが揃わず、所望のタイミングでＦＦＴ処理を行うことができない。従って、ＬＴＥでは、各ユーザ装置ＵＥと基地局ｅＮＢとの間の伝搬遅延を吸収し、基地局ｅＮＢで各ユーザ装置ＵＥから受信するＵＬ信号のタイミングを合わせるために、基地局ｅＮＢからユーザ装置ＵＥに対してＵＬ信号の送信タイミングを指示するＴｉｍｉｎｇ  Ａｄｖａｎｃｅ（ＴＡ）制御を行っている。また、異種波のセルでＵＬ  ＣＡ（アップリンクＣＡ）を行う場合、セル毎に無線特性（例えば、遅延特性や減衰特性）が異なることから、異なる無線特性を持つセルごとに、無線特性に応じたＴＡ制御を行う必要がある。具体的には、Ｒｅｌ．１１のＬＴＥのように、Ｉｎｔｅｒ−ｂａｎｄＣＡを行う際に、ＰＣｅｌｌとＳＣｅｌｌとを無線特性が同一であるグループ（Ｔｉｍｉｎｇ  Ａｄｖａｎｃｅ  ｇｒｏｕｐ：ＴＡＧ）ごとに分け、それぞれのＴＡＧ単位でＴＡ制御が行われるようにしている。
【００２２】
図９に、ＴＡ制御に用いられるＭＡＣ  ＣＥのフォーマットを示す。ＴＡ制御に用いられるＭＡＣ  ＣＥは、１オクテットで構成されており、ＴＡＧを識別するＴＡＧｉｄを格納するビット（２ビット）と、ＴＡＧごとのＴＡ制御を行うコマンドを格納するためのビット（６ビット）とを有する。
【００２３】
しかしながら、ＴＡ制御に用いられるＭＡＣ  ＣＥのフォーマットでは、最大で４つのＴＡＧしか識別することができず、Ｒｅｌ．１３のＬＴＥのように、最大で３２ＣＣを束ねるＣＡには対応することができない。
【００２４】
開示の技術は上記に鑑みてなされたものであって、多数のＣＣを束ねるＣＡを行う場合に、ＣＣ制御を効率的に行う技術を提供することを目的とする。
【課題を解決するための手段】
【００２５】
開示の技術のユーザ装置は、キャリアアグリゲーションをサポートする移動通信システムにおいて、基地局と通信を行うユーザ装置であって、前記基地局から受信するメッセージに基づいて、前記キャリアアグリゲーションにおけるセルグループ及びセルを設定する設定部と、前記基地局から、特定のセルグループに属するいずれか１つのセルをアクティブ化又は非アクティブ化する制御信号を受信し、前記特定のセルグループに属するいずれかの１つのセルをアクティブ化又は非アクティブ化する制御部と、を有する。
【発明の効果】
【００２６】
開示の技術によれば、多数のＣＣを束ねるＣＡを行う場合に、ＣＣ制御を効率的に行う技術が提供される。
【図面の簡単な説明】
【００２７】
【図１】Ｒｅｌ−１０ＬＴＥのＣＡを説明するための図である。
【図２】Ｒｅｌ−１０ＬＴＥにおいてＣＣを束ねる例を示す図である。
【図３】Ｒｅｌ−１１ＬＴＥにおいてＣＣを束ねる例を示す図である。
【図４】Ｒｅｌ−１２で導入されたＤｕａｌ  ｃｏｎｎｅｃｔｉｖｉｔｙの例を示す図である。
【図５】Ｒｅｌ−１２ＬＴＥにおいてＣＣを束ねる例を示す図である。
【図６】Ｒｅｌ−１３ＬＴＥにおいてＣＣを束ねる例を示す図である。
【図７】ＳＣｅｌｌのＡｃｔｉｖａｔｉｏｎ又はｄｅａｃｔｉｖａｔｉｏｎに用いられるＭＡＣ  ＣＥのフォーマットを示す図である。
【図８】最大送信電力及びＰＨの報告に用いられるＭＡＣ ＣＥのフォーマットを示す。
【図９】ＴＡ制御に用いられるＭＡＣ  ＣＥのフォーマットを示す。
【図１０】本発明の実施の形態におけるシステムの構成図である。
【図１１】第１の実施の形態におけるユーザ装置ＵＥの構成図である。
【図１２】第１の実施の形態における基地局ｅＮＢの構成図である。
【図１３】アクティブ化又は非アクティブ化制御（その１）の一例を示す図である。
【図１４】アクティブ化又は非アクティブ化制御（その２）の一例を示す図である。
【図１５】アクティブ化又は非アクティブ化制御（その３）の一例を示す図である。
【図１６】アクティブ化又は非アクティブ化制御（その４）の一例を示す図である。
【図１７】アクティブ化又は非アクティブ化制御（その５）の一例を示す図である。
【図１８】最大送信電力及びＰＨの報告に係る制御（その１）の一例を示す図である。
【図１９】最大送信電力及びＰＨの報告に係る制御（その２）の一例を示す図である。
【図２０】最大送信電力及びＰＨの報告に係る制御（その３）の一例を示す図である。
【図２１】ＴＡ制御（その１）の一例を示す図である。
【図２２】ＴＡ制御（その２）の一例を示す図である。
【発明を実施するための形態】
【００２８】
以下、図面を参照して本発明の実施の形態を説明する。なお、以下で説明する実施の形態は一例に過ぎず、本発明が適用される実施の形態は、以下の実施の形態に限られるわけではない。本実施の形態では、ＬＴＥの移動通信システムを対象とするが、本発明はＬＴＥに限らず他の移動通信システムにも適用可能である。また、本実施の形態では、ＣＧに含まれるセルはＳＣｅｌｌであることを想定しているが、ＰＣｅｌｌについてもアクティブ化／非アクティブ化の制御を行えるようにするために、ＣＧに含まれるセルはＳＣｅｌｌに限定されず、ＰＣｅｌｌが含まれていてもよい。また、本明細書及び特許請求の範囲における「ＬＴＥ」の３ＧＰＰ規格書のリリースは、ＣＡにおける「セルグループ」が導入されているリリースであるものとするが、これに限定されるわけではない。
【００２９】
＜システム全体構成＞
図１０に、本発明の実施の形態（第一の実施の形態と第二の実施の形態と第三の実施の形態とに共通）における通信システムの構成図を示す。図１０に示すように、本実施の形態における通信システムは、基地局ｅＮＢとユーザ装置ＵＥとを含む移動通信システムであり、基地局ｅＮＢとユーザ装置ＵＥとでＣＡ通信を行うことが可能である。図１０では、基地局ｅＮＢとユーザ装置ＵＥはそれぞれ１つずつ示されているが、これは図示の便宜上のものであり、それぞれ複数存在するようにしてもよい。
【００３０】
また、図１０の例では、１つのセルが示されているが、これも図示の便宜上のものであり、ＣＡが設定される際には複数のセルが存在する。また、例えば、基地局ｅＮＢから離れた場所に、基地局ｅＮＢと光ファイバ等で接続されるＲＲＥが備えられる構成であってもよい。また、複数の基地局ｅＮＢを備えるＤｕａｌ  Ｃｏｎｎｅｃｔｉｖｉｔｙの構成であってもよい。Ｄｕａｌ  Ｃｏｎｎｅｃｔｉｖｉｔｙを対象とする場合、ユーザ装置ＵＥにＲＲＣメッセージ等を送信する基地局ｅＮＢは、ＭｅＮＢであることを想定しているが、これに限られるわけではない。
【００３１】
基地局ｅＮＢは、無線を通じてユーザ装置ＵＥとの間で通信を行う。基地局ｅＮＢは、プロセッサなどのＣＰＵ、ＲＯＭ、ＲＡＭ又はフラッシュメモリなどのメモリ装置、ユーザ装置ＵＥ等と通信するためのアンテナ、隣接する基地局ｅＮＢ及びコアネットワーク等と通信するための通信インターフェース装置などのハードウェアリソースにより構成される。基地局ｅＮＢの各機能及び処理は、メモリ装置に格納されているデータやプログラムをプロセッサが処理又は実行することによって実現されてもよい。しかしながら、基地局ｅＮＢは、上述したハードウェア構成に限定されず、他の何れか適切なハードウェア構成を有してもよい。
【００３２】
ユーザ装置ＵＥは、無線を通じて基地局ｅＮＢ及びコアネットワーク等と通信を行う機能を有する。ユーザ装置ＵＥは、例えば、携帯電話、スマートフォン、タブレット、モバイルルータ、ウェアラブル端末などである。ユーザ装置ＵＥは、通信機能を有する機器であれば、どのような端末であってもよい。ユーザ装置ＵＥは、プロセッサなどのＣＰＵ、ＲＯＭ、ＲＡＭ又はフラッシュメモリなどのメモリ装置、基地局ｅＮＢと通信するためのアンテナ、ＲＦ（Radio Frequency）装置などのハードウェアリソースにより構成される。ユーザ装置ＵＥの各機能及び処理は、メモリ装置に格納されているデータやプログラムをプロセッサが処理又は実行することによって実現されてもよい。しかしながら、ユーザ装置ＵＥは、上述したハードウェア構成に限定されず、他の何れか適切なハードウェア構成を有してもよい。
【００３３】
以下、前述した第一の課題に対応する第一の実施の形態と、第二の課題に対応する第二の実施の形態と、第三の課題に対応する第三の実施の形態とについて説明する。以下では、第一の実施の形態と第二の実施の形態と第三の実施の形態とを分けて説明するが、第一の実施の形態と第二の実施の形態と第三の実施の形態とを組み合わせて実施することも可能である。すなわち、第一の実施の形態で説明するユーザ装置ＵＥは、第二の実施の形態又は第三の実施の形態で説明するユーザ装置ＵＥの機能を含んでもよく、第二の実施の形態で説明するユーザ装置ＵＥは、第一の実施の形態又は第三の実施の形態で説明するユーザ装置ＵＥの機能を含んでもよく、第三の実施の形態で説明するユーザ装置ＵＥは、第一の実施の形態又は第二の実施の形態で説明するユーザ装置ＵＥの機能を含んでもよい。また、第一の実施の形態で説明する基地局ｅＮＢは、第二の実施の形態又は第三の実施の形態で説明する基地局ｅＮＢの機能を含んでもよく、第二の実施の形態で説明する基地局ｅＮＢは、第一の実施の形態又は第三の実施の形態で説明する基地局ｅＮＢの機能を含んでもよく、第三の実施の形態で説明する基地局ｅＮＢは、第一の実施の形態又は第二の実施の形態で説明する基地局ｅＮＢの機能を含んでもよい。
【００３４】
なお、各実施の形態は、ダウンリンク通信に限らず、アップリンク通信にも適用することができる。また、各実施の形態は、ダウンリンク通信及びアップリンク通信に対して異なる処理手順が適用されるようにすることもできる。
【００３５】
[第一の実施の形態]
第一の実施の形態に係る基地局ｅＮＢ及びユーザ装置ＵＥは、複数のＣＧに含まれる任意のＳＣｅｌｌをアクティブ化又は非アクティブ化する。以下、図を用いて、基地局ｅＮＢ及びユーザ装置ＵＥの機能構成、及び複数のＣＧに含まれる任意のＳＣｅｌｌをアクティブ化又は非アクティブ化する際の処理手順について説明する。
【００３６】
＜機能構成＞
（ユーザ装置）
図１１に、本実施の形態に係るユーザ装置ＵＥの機能構成図を示す。図１１に示すように、ユーザ装置ＵＥは、ＤＬ信号受信部１０１、ＵＬ信号送信部１０２、ＲＲＣ（無線リソース制御）処理部１０３、及び制御部１０４を含む。図１１は、ユーザ装置ＵＥにおいて本発明の実施の形態に特に関連する機能部のみを示すものであり、少なくともＬＴＥに準拠した動作を行うための図示しない機能も有するものである。また、図１１に示す機能構成は一例に過ぎない。本実施の形態に係る動作を実行できるのであれば、機能区分や機能部の名称はどのようなものでもよい。
【００３７】
ＤＬ信号受信部１０１は、基地局ｅＮＢから各種の信号を無線受信し、受信した物理レイヤの信号からより上位のレイヤの信号を取得する機能を含む。ＵＬ信号送信部１０２は、ユーザ装置ＵＥから送信されるべき上位のレイヤの信号から、物理レイヤの各種信号を生成し、無線送信する機能を含む。ＤＬ信号受信部１０１及びＵＬ信号送信部１０２はそれぞれ、複数のＣＣを束ねて通信を行うＣＡを実行する機能を含む。
【００３８】
ＤＬ信号受信部１０１とＵＬ信号送信部１０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【００３９】
ＲＲＣ処理部１０３は、基地局ｅＮＢとの間でＲＲＣメッセージの送受信を行うとともに、ＣＧとセルのマッピング情報等を含むＣＡ情報の設定／変更／管理、構成変更等の処理を行う機能を含む。ＲＲＣ処理部１０３は、ＣＡの設定を行う機能部であるので、設定部と呼んでもよい。ＲＲＣ処理部１０３が行うＣＡの設定は、例えば、ＲＲＣメッセージに含まれる設定情報（ＣＧとそれに対応する複数セル等）をメモリ等の記憶手段に格納することを含む。
【００４０】
制御部１０４は、ＭＡＣ  ＣＥによる特定のＣＧ及びセルを指定したアクティブ化（又は非アクティブ化）コマンドにより、指定されたＣＧ内のセルをアクティブ化（又は非アクティブ化）させる制御を実行する。例えば、制御部１０４（又はＲＲＣ処理部１０３）は、ＣＧ毎に、セル毎にアクティブ化／非アクティブ化されているかどうかを示す情報をメモリ等の記憶手段に格納しており、これにより、制御部１０４は、現時点で各ＣＧの各セルの状態（アクティブ化／非アクティブ化）を把握できる。
【００４１】
なお、ユーザ装置ＵＥにおいて、セルをアクティブ化するとは、例えば、ＤＬ信号受信部１０１及び／又はＵＬ信号送信部１０２に対して、当該セルを構成するＣＣを用いて通信を行う（例：ＰＤＣＣＨ、ＰＤＳＣＨの受信を行う）ことを指示するとともに、上記の記憶手段等に、該当セルがアクティブ化されたことを示す情報を記憶することである。セルを非アクティブ化するとは、当該セルを構成するＣＣを用いた通信を停止することを指示するとともに、上記の記憶手段等に、該当セルが非アクティブ化されたことを示す情報を記憶することである。
【００４２】
（基地局）
図１２に、本実施の形態に係る基地局ｅＮＢの機能構成図を示す。図１２に示すように、基地局ｅＮＢは、ＵＬ信号受信部２０１、ＤＬ信号送信部２０２、ＲＲＣ処理部２０３、及び制御部２０４を含む。図１２は、基地局ｅＮＢにおいて本発明の実施の形態に特に関連する機能部のみを示すものであり、少なくともＬＴＥに準拠した動作を行うための図示しない機能も有するものである。また、図１２に示す機能構成は一例に過ぎない。本実施の形態に係る動作を実行できるのであれば、機能区分や機能部の名称はどのようなものでもよい。
【００４３】
ＵＬ信号受信部２０１は、各ユーザ装置ＵＥから各種の信号を無線受信し、受信した物理レイヤの信号からより上位のレイヤの信号を取得する機能を含む。ＤＬ信号送信部２０２は、基地局ｅＮＢから送信されるべき上位のレイヤの信号から、物理レイヤの各種信号を生成し、無線送信する機能を含む。ＵＬ信号受信部２０１及びＤＬ信号送信部２０２はそれぞれ、複数のＣＣを束ねて通信を行うＣＡを実行する機能を含む。また、ＵＬ信号受信部２０１及びＤＬ信号送信部２０２は、ＲＲＥのように、基地局ｅＮＢの本体（制御部）から遠隔に設置された無線通信部であってもよい。
【００４４】
ＵＬ信号受信部２０１とＤＬ信号送信部２０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【００４５】
ＲＲＣ処理部２０３は、ユーザ装置ＵＥとの間でＲＲＣメッセージの送受信を行うとともに、ＣＧとセルのマッピング情報等を含むＣＡ情報の設定／変更／管理、構成変更等の処理を行う機能を含む。ＲＲＣ処理部２０３は、ＣＡの設定を行う機能部であるので、設定部と呼んでもよい。
【００４６】
制御部２０４は、ＭＡＣ  ＣＥによる特定のＣＧ及びセルを指定したアクティブ化（又は非アクティブ化）コマンドにより、ユーザ装置ＵＥに対して、指定されたＣＧ内のセルをアクティブ化（又は非アクティブ化）させる制御を実行する。
【００４７】
＜処理手順＞
（その１）
図１３は、アクティブ化又は非アクティブ化制御（その１）の一例を示す図である。図１３を用いて、複数のＣＧに含まれるＳＣｅｌｌに対してアクティブ化又は非アクティブ化の制御を行う場合の処理手順（その１）について説明する。
【００４８】
本処理手順では、ユーザ装置ＵＥは、ＭＡＣ  ＣＥを受信した場合、当該ＭＡＣ  ＣＥを受信したセルに対応するＣＧに含まれるＳＣｅｌｌに対してアクティブ化又は非アクティブ化の制御が行われると認識するようにする。
【００４９】
図１３（ａ）を用いて具体例を説明する。まず、ユーザ装置ＵＥの制御部１０４は、ＭＡＣ  ＣＥをＣＧ＃１のＰＣｅｌｌで受信すると、当該ＭＡＣ  ＣＥは、ＣＧ＃１に含まれるＳＣｅｌｌ＃０又はＳＣｅｌｌ＃１に対するアクティブ化又は非アクティブ化制御であると認識する。続いて、ユーザ装置ＵＥの制御部１０４は、ＭＡＣ  ＣＥに含まれるＣ１〜Ｃ７のビットを確認する。図１３（ａ）の例では、Ｃ７のビットが「１」であるため、ユーザ装置ＵＥの制御部１０４は、ＭＡＣ  ＣＥはＣＧ＃１に含まれるＳＣｅｌｌ＃０に対するアクティブ化制御であると認識し、ＣＧ＃１のＳＣｅｌｌ＃０をアクティブ化する。
【００５０】
次に、図１３（ｂ）を用いて別の具体例を説明する。なお、ＣＧ＃２のＳＣｅｌｌ＃０以外の各ＳＣｅｌｌは全て非アクティブ化されている前提とする。
【００５１】
まず、ユーザ装置ＵＥの制御部１０４は、ＭＡＣ  ＣＥをＣＧ＃２のＳＣｅｌｌ＃０で受信すると、当該ＭＡＣ  ＣＥは、ＣＧ＃２に含まれるＳＣｅｌｌ＃０〜ＳＣｅｌｌ＃２のいずれかのＳＣｅｌｌに対するアクティブ化又は非アクティブ化制御であると認識する。
【００５２】
続いて、ユーザ装置ＵＥの制御部１０４は、ＭＡＣ  ＣＥに含まれるＣ１〜Ｃ７のビットを確認する。図１３（ｂ）の例では、Ｃ６のビットが「１」であるため、ユーザ装置ＵＥの制御部１０４は、ＭＡＣ  ＣＥはＣＧ＃２に含まれるＳＣｅｌｌ＃１に対するアクティブ化制御であると認識し、ＣＧ＃２のＳＣｅｌｌ＃１をアクティブ化する。
【００５３】
なお、本処理手順において、制御部１０４は、現時点における各ＣＧの各セルの状態（アクティブ化／非アクティブ化）を把握している。従って、仮に、ＭＡＣ  ＣＥに含まれるＣ１〜Ｃ７のビットのうち、「０」であるビットに該当するＳＣｅｌｌがアクティブ化されている場合、当該ＳＣｅｌｌを非アクティブ化する。
【００５４】
また、本処理手順において、ＳＣｅｌｌのみを有するＣＧに含まれるセルのうち、いずれか１つのＳＣｅｌｌは常にアクティブ化されるようにしてもよい。ＳＣｅｌｌのみを有するＣＧに含まれる全てのセルが非アクティブ化されている場合、ユーザ装置ＵＥは、当該ＣＧを介してＭＡＣ  ＣＥを受信することが出来ないためである。なお、常にアクティブ化されているセルは、例えば、セルの識別子（ＣｅｌｌＩｎｄｅｘ、又はＳＣｅｌｌＩｎｄｅｘ）が最も大きい又は小さいセルでもよいし、ＰＵＣＣＨが設定されているセルでもよいし、基地局ｅＮＢから指定されたものでもよい。
【００５５】
（その２）
図１４は、アクティブ化又は非アクティブ化制御（その２）の一例を示す図である。図１４を用いて、複数のＣＧに含まれるＳＣｅｌｌに対してアクティブ化又は非アクティブ化の制御を行う場合の処理手順（その２）について説明する。
【００５６】
まず、基地局ｅＮＢ及びユーザ装置ＵＥは、２つの異なるＣＧを１対１で対応づける情報（Ｃｒｏｓｓ  Ｃａｒｒｉｅｒ情報）を、例えばＲＲＣ信号等を用いて基地局ｅＮＢからユーザ装置ＵＥに送信することで、お互いに記憶しておく。例えば、ＣＧ＃１〜ＣＧ＃４が存在すると仮定した場合、基地局ｅＮＢ及びユーザ装置ＵＥは、ＣＧ＃１及びＣＧ＃２と、ＣＧ＃３及びＣＧ＃４とをそれぞれ対応づける情報をお互いに記憶しておくようにしてもよいし、ＣＧ＃１及びＣＧ＃３と、ＣＧ＃２及びＣＧ＃４とをそれぞれ対応づける情報をお互いに記憶しておくようにしてもよいし、ＣＧ＃１及びＣＧ＃４と、ＣＧ＃２及びＣＧ＃３とをそれぞれ対応づける情報をお互いに記憶しておくようにしてもよい。
【００５７】
次に、基地局ｅＮＢ及びユーザ装置ＵＥは、ＳＣｅｌｌのアクティブ化又は非アクティブ化に用いられるＭＡＣ  ＣＥに含まれる予約ビットを用いて、対応づけられた２つのＣＧのうち、どちらのＣＧに含まれるＳＣｅｌｌに対する制御なのかを識別できるようにする。また、基地局ｅＮＢは、対応づけられた２つのＣＧに含まれるいずれかのＳＣｅｌｌ（又はＰＣｅｌｌ）を介して、ＭＡＣ  ＣＥをユーザ装置ＵＥに送信するようにする。
【００５８】
例えば、ＣＧ＃１及びＣＧ＃２と、ＣＧ＃３及びＣＧ＃４とがそれぞれ対応づけられていると仮定する。基地局ｅＮＢ及びユーザ装置ＵＥは、予約ビットが「０」の場合、ＣＧ＃１又はＣＧ＃３に対する制御であると認識し、予約ビットが「１」の場合、ＣＧ＃２又はＣＧ＃４に対する制御であると認識するようにする。また、ユーザ装置ＵＥは、ＣＧ＃１及びＣＧ＃２に含まれるＳＣｅｌｌを介してＭＡＣ  ＣＥを受信した場合は、ＣＧ＃１及びＣＧ＃２に含まれるＳＣｅｌｌに対する制御であると認識し、ＣＧ＃３及びＣＧ＃４に含まれるＳＣｅｌｌを介してＭＡＣ  ＣＥを受信した場合は、ＣＧ＃１及びＣＧ＃２に含まれるＳＣｅｌｌに対する制御であると認識するようにする。
【００５９】
図１４（ａ）を用いて具体例を説明する。なお、各ＳＣｅｌｌは全て非アクティブ化されており、ＣＧ＃１及びＣＧ＃２が対応付けられている前提とする。まず、ユーザ装置ＵＥの制御部１０４は、ＭＡＣ  ＣＥをＣＧ＃１のＰＣｅｌｌで受信すると、ＭＡＣ  ＣＥに含まれる予約ビットの値を確認する。図１４（ａ）の例では、当該予約ビットは「０」に設定されているため、ユーザ装置ＵＥの制御部１０４は、ＭＡＣ  ＣＥはＣＧ＃１に含まれるＳＣｅｌｌ＃０又はＳＣｅｌｌ＃１に対するアクティブ化又は非アクティブ化制御であると認識する。
【００６０】
続いて、ユーザ装置ＵＥの制御部１０４は、ＭＡＣ  ＣＥに含まれるＣ１〜Ｃ７のビットを確認する。図１４（ａ）の例では、Ｃ７のビットが「１」であるため、ユーザ装置ＵＥの制御部１０４は、ＭＡＣ  ＣＥはＣＧ＃１に含まれるＳＣｅｌｌ＃０に対するアクティブ化制御であると認識し、ＣＧ＃１のＳＣｅｌｌ＃０をアクティブ化する。
【００６１】
次に、図１４（ｂ）を用いて別の具体例を説明する。まず、ユーザ装置ＵＥの制御部１０４は、ＭＡＣ  ＣＥをＣＧ＃１のＰＣｅｌｌで受信すると、ＭＡＣ  ＣＥに含まれる予約ビットの値を確認する。図１４（ｂ）の例では、当該予約ビットは「１」に設定されているため、ユーザ装置ＵＥの制御部１０４は、ＭＡＣ  ＣＥはＣＧ＃２に含まれるＳＣｅｌｌ＃０〜ＳＣｅｌｌ＃２に対するアクティブ化又は非アクティブ化制御であると認識する。
【００６２】
続いて、ユーザ装置ＵＥの制御部１０４は、ＭＡＣ  ＣＥに含まれるＣ１〜Ｃ７のビットを確認する。図１４（ｂ）の例では、Ｃ７のビットが「１」であるため、ユーザ装置ＵＥの制御部１０４は、ＭＡＣ  ＣＥはＣＧ＃２に含まれるＳＣｅｌｌ＃０に対するアクティブ化制御であると認識し、ＣＧ＃２のＳＣｅｌｌ＃０をアクティブ化する。
【００６３】
なお、本処理手順において、制御部１０４は、現時点における各ＣＧの各セルの状態（アクティブ化／非アクティブ化）を把握している。従って、仮に、ＭＡＣ  ＣＥに含まれるＣ１〜Ｃ７のビットのうち、「０」であるビットに該当するＳＣｅｌｌがアクティブ化されている場合、当該ＳＣｅｌｌを非アクティブ化する。
【００６４】
なお、上記に係る処理手順は、ＰＣｅｌｌが含まれるＣＧについては、Ｃｒｏｓｓ  Ｃａｒｒｉｅｒ化されることを禁止するようにしてもよい。すなわち、Ｃｒｏｓｓ  Ｃａｒｒｉｅｒ情報は、ＰＣｅｌｌを含まないＣＧの間で対応づけられるようにしてもよい。
【００６５】
（その３）
図１５は、アクティブ化又は非アクティブ化制御（その３）の一例を示す図である。図１５を用いて、複数のＣＧに含まれるＳＣｅｌｌに対してアクティブ化又は非アクティブ化の制御を行う場合の処理手順（その３）について説明する。
【００６６】
まず、基地局ｅＮＢ及びユーザ装置ＵＥは、ＰＣｅｌｌを含むＣＧのうちのいずれかのＳＣｅｌｌと、ＰＣｅｌｌを含まないＣＧとを対応づける情報を、例えばＲＲＣ信号等を用いて基地局ｅＮＢからユーザ装置ＵＥに送信することで、お互いに記憶しておく。例えば、ＣＧ＃１にＳＣｅｌｌ＃０とＳＣｅｌｌ＃１が存在し、ＣＧ＃２にＳＣｅｌｌ＃０〜ＳＣｅｌｌ＃２が存在する場合、基地局ｅＮＢ及びユーザ装置ＵＥは、ＣＧ＃１のＳＣｅｌｌ＃０とＣＧ＃２とが対応づけられる情報をお互いに記憶しておくようにしてもよい。更に、ＣＧ＃３にＳＣｅｌｌ＃０〜ＳＣｅｌｌ＃２が存在する場合、基地局ｅＮＢ及びユーザ装置ＵＥは、ＣＧ＃１のＳＣｅｌｌ＃１とＣＧ＃３とが対応づけられる情報をお互いに記憶しておくようにしてもよい。
【００６７】
次に、基地局ｅＮＢ及びユーザ装置ＵＥは、ＳＣｅｌｌのアクティブ化又は非アクティブ化に用いられるＭＡＣ  ＣＥに含まれる予約ビットを用いて、いずれのＣＧに含まれるＳＣｅｌｌに対する制御なのかを識別する。
【００６８】
例えば、ＣＧ＃１のＳＣｅｌｌ＃０とＣＧ＃２とが対応づけられている場合において、ＣＧ＃１のＳＣｅｌｌ＃０を介して受信したＭＡＣ  ＣＥの予約ビットが「０」の場合、ユーザ装置ＵＥは、ＣＧ＃１に含まれるＳＣｅｌｌに対する制御であると認識するようにする。同様に、予約ビットが「１」の場合、ユーザ装置ＵＥは、ＣＧ＃２に含まれるＳＣｅｌｌに対する制御であると認識するようにする。なお、本処理手順において、ＣＧ＃２のＳＣｅｌｌに対するアクティブ化（或いは、非アクティブ化）のためのＭＡＣ ＣＥを送信する場合、ＣＧ＃２と関連付けられている（PCellが含まれるCG#1の）ＳＣｅｌｌ＃０は予めアクティブ化されておく必要がある。（PCellが含まれるCGの）当該ＳＣｅｌｌ＃０が非アクティブ化されている場合、ユーザ装置ＵＥは、当該ＳＣｅｌｌ＃０を介してＭＡＣ  ＣＥを受信することが出来ないためである。つまり、（PCellが含まれるCG＃１の）ＳＣｅｌｌ＃０及び、ＣＧ＃２のＳＣｅｌｌの両方が非アクティブの場合で、当該ＣＧ＃２のＳＣｅｌｌをアクティブ化する際、基地局は、まず（PCellが含まれるCG＃１の）ＳＣｅｌｌ＃０をアクティブ化し、その後、当該アクティブ化した（PCellが含まれるCG＃１の）ＳＣｅｌｌ＃０を介して、関連つけられたＣＧ＃２のＳＣｅｌｌに対するアクティブ化を指示する必要がある。
【００６９】
また、ＣＧ＃１のＳＣｅｌｌ＃１とＣＧ＃３とが対応づけられている場合において、ＣＧ＃１のＳＣｅｌｌ＃１を介して受信したＭＡＣ  ＣＥの予約ビットが「０」の場合、ユーザ装置ＵＥは、ＣＧ＃１に含まれるＳＣｅｌｌに対する制御であると認識するようにする。同様に、予約ビットが「１」の場合、ユーザ装置ＵＥは、ＣＧ＃３に含まれるＳＣｅｌｌに対する制御であると認識するようにする。
【００７０】
図１５（ａ）を用いて具体例を説明する。まず、ユーザ装置ＵＥの制御部１０４は、ＣＧ＃１のＳＣｅｌｌ＃０で受信したＭＡＣ  ＣＥに含まれる予約ビットの値を確認する。図１５（ａ）の例では、当該予約ビットは「０」に設定されているため、ユーザ装置ＵＥの制御部１０４は、ＭＡＣ  ＣＥはＣＧ＃１に含まれるＳＣｅｌｌ＃０又はＳＣｅｌｌ＃１に対するアクティブ化又は非アクティブ化制御であると認識する。
【００７１】
続いて、ユーザ装置ＵＥの制御部１０４は、ＭＡＣ  ＣＥに含まれるＣ１〜Ｃ７のビットを確認する。図１５（ａ）の例では、Ｃ６のビットが「１」であるため、ユーザ装置ＵＥの制御部１０４は、ＭＡＣ  ＣＥはＣＧ＃１に含まれるＳＣｅｌｌ＃１に対するアクティブ化制御であると認識し、ＣＧ＃１のＳＣｅｌｌ＃１をアクティブ化する。
【００７２】
次に、図１５（ｂ）を用いて具体例を説明する。なお、ＣＧ＃１のＳＣｅｌｌ＃０とＣＧ＃２とが対応づけられている前提とする。
【００７３】
まず、ユーザ装置ＵＥの制御部１０４は、ＣＧ＃１のＳＣｅｌｌ＃０で受信したＭＡＣ  ＣＥに含まれる予約ビットの値を確認する。図１５（ｂ）の例では、当該予約ビットは「１」に設定されているため、ユーザ装置ＵＥの制御部１０４は、ＭＡＣ  ＣＥはＣＧ＃２に含まれるＳＣｅｌｌ＃０〜ＳＣｅｌｌ＃２に対するアクティブ化又は非アクティブ化制御であると認識する。
【００７４】
続いて、ユーザ装置ＵＥの制御部１０４は、ＭＡＣ  ＣＥに含まれるＣ１〜Ｃ７のビットを確認する。図１５（ｂ）の例では、Ｃ６のビットが「１」であるため、ユーザ装置ＵＥの制御部１０４は、ＭＡＣ  ＣＥはＣＧ＃２に含まれるＳＣｅｌｌ＃１に対するアクティブ化制御であると認識し、ＣＧ＃２のＳＣｅｌｌ＃１をアクティブ化する。
【００７５】
なお、本処理手順において、制御部１０４は、現時点における各ＣＧの各セルの状態（アクティブ化／非アクティブ化）を把握している。従って、仮に、ＭＡＣ  ＣＥに含まれるＣ１〜Ｃ７のビットのうち、「０」であるビットに該当するＳＣｅｌｌがアクティブ化されている場合、当該ＳＣｅｌｌを非アクティブ化する。
【００７６】
なお、本処理手順において、ＰＣｅｌｌを含まないＣＧと対応づけられたＳＣｅｌｌが非アクティブ化された場合、対応づけられているＣＧの全てのセルが非アクティブ化されるようにしてもよい。
【００７７】
（その４）
図１６は、アクティブ化又は非アクティブ化制御（その４）の一例を示す図である。図１６を用いて、複数のＣＧに含まれるＳＣｅｌｌに対してアクティブ化又は非アクティブ化の制御を行う場合の処理手順（その４）について説明する。
【００７８】
本処理手順では、基地局ｅＮＢ及びユーザ装置ＵＥは、アクティブ化又は非アクティブ化に用いられるＭＡＣ  ＣＥに含まれる予約ビットが「１」の場合、当該ＭＡＣ  ＣＥに含まれるＣ１〜Ｃ７のビットを、ＣＧを指定するビットに読み替えるようにする。例えば、Ｃ６のビットは、ＣＧ＃２に含まれるいずれかのＳＣｅｌｌをアクティブ化又は非アクティブ化することを示すようにし、Ｃ５のビットは、ＣＧ＃３に含まれるいずれかのＳＣｅｌｌをアクティブ化又は非アクティブ化することを示すようにしてもよい。基地局ｅＮＢ及びユーザ装置ＵＥは、ＭＡＣ  ＣＥに含まれるＣ１〜Ｃ７のビットが、どのＣＧに対応づけられているのかを示す情報を、例えばＲＲＣ信号等を用いて基地局ｅＮＢからユーザ装置ＵＥに送信することで、お互いに記憶しておく。
【００７９】
また、本処理手順では、既存のＭＡＣ  ＣＥの代わりに、アクティブ化又は非アクティブ化するＣＧを指定するための新たなＭＡＣ  ＣＥを規定するようにしてもよいし、ＲＲＣ信号により、アクティブ化又は非アクティブ化するＣＧを指定するようにしてもよい。
【００８０】
また、本処理手順では、指定されたＣＧに含まれるＳＣｅｌｌのうち、例えば、セルの識別子（ＣｅｌｌＩｎｄｅｘ、又はＳＣｅｌｌＩｎｄｅｘ）が最も大きい又は小さいセルをアクティブ化又は非アクティブ化するようにしてもよいし、ＰＵＣＣＨが設定されているセルをアクティブ化又は非アクティブ化するようにしてもよい。
【００８１】
図１６（ａ）を用いて具体例を説明する。まず、ユーザ装置ＵＥの制御部１０４は、ＣＧ＃１のＳＣｅｌｌ＃０で受信したＭＡＣ  ＣＥに含まれる予約ビットの値を確認する。図１６（ａ）の例では、当該予約ビットは「１」に設定されているため、ユーザ装置ＵＥの制御部１０４は、ＭＡＣ  ＣＥに含まれるＣ７〜Ｃ１のビットは、ＣＧを指定するビットに読み替える必要があると認識する。
【００８２】
続いて、ユーザ装置ＵＥの制御部１０４は、ＭＡＣ  ＣＥに含まれるＣ１〜Ｃ７のビットを確認する。図１６（ａ）の例では、Ｃ６のビットが「１」であるため、ユーザ装置ＵＥの制御部１０４は、ＣＧ＃２に含まれるＳＣｅｌｌに対するアクティブ化制御であると認識する。これにより、例えば、ＣＧ＃２のＳＣｅｌｌ＃１がアクティブ化される。
【００８３】
図１６（ｂ）は、新たなＭＡＣ  ＣＥのフォーマットの一例を示している。本処理手順では、図１６（ｂ）のように、各ビットの各々にＣＧが対応づけられた新たなＭＡＣ  ＣＥのフォーマットを定義するようにしてもよい。
【００８４】
なお、本処理手順において、予約ビットが「１」であるＭＡＣ  ＣＥ（すなわち、Ｃ７〜Ｃ１の各ビットを、ＣＧを指定するビットに読み替えるＭＡＣ  ＣＥ）と、予約ビットが「０」であるＭＡＣ  ＣＥ（すなわち、通常のＭＡＣ  ＣＥ）とが多重されるようにしてもよい。
【００８５】
なお、本処理手順は、ＳＣｅｌｌを非アクティブ化する場合にも適用することができる。
【００８６】
なお、本処理手順では、上記のようにＣＧを指定したアクティブ化制御が行われた後で、ＳＣｅｌｌを指定するＭＡＣ  ＣＥを受け付けるようにしてもよい。また、上記のようにＣＧを指定したアクティブ化制御が行われる前にＳＣｅｌｌを指定するＭＡＣ  ＣＥを受け付けた場合、当該制御を無視するようにしてもよい。
【００８７】
（その５）
図１７は、アクティブ化又は非アクティブ化制御（その５）の一例を示す図である。図１７を用いて、複数のＣＧに含まれるＳＣｅｌｌに対してアクティブ化又は非アクティブ化の制御を行う場合の処理手順（その５）について説明する。
【００８８】
本処理手順では、基地局ｅＮＢ及びユーザ装置ＵＥは、同一のビットを含むＭＡＣ  ＣＥの多重度に基づいて、どのＣＧに対するアクティブ化又は非アクティブ化の制御であるかを認識するようにする。
【００８９】
図１７（ａ）を用いて具体例を説明する。まず、ユーザ装置ＵＥの制御部１０４は、同一のビットを含むＭＡＣ  ＣＥがいくつ多重されているかを確認する。図１７（ａ）の例では、ＭＡＣ  ＰＤＵの中に、同一ビット列を有するＭＡＣ  ＣＥが２つ格納されている。従って、ユーザ装置ＵＥの制御部１０４は、ＣＧ＃２に対するアクティブ化又は非アクティブ化の制御であると認識する。
【００９０】
続いて、ユーザ装置ＵＥの制御部１０４は、ＭＡＣ  ＣＥに含まれるＣ１〜Ｃ７のビットを確認する。図１７（ａ）の例では、Ｃ７ビットが「１」であるため、ユーザ装置ＵＥの制御部１０４は、ＳＣｅｌｌ＃０に対するアクティブ化又は非アクティブ化の制御であると認識する。
【００９１】
続いて、ユーザ装置ＵＥの制御部１０４は、ＣＧ＃２のＳＣｅｌｌ＃０をアクティブ化する。
【００９２】
次に、図１７（ｂ）を用いて具体例を説明する。まず、ユーザ装置ＵＥの制御部１０４は、同一のビットを含むＭＡＣ  ＣＥがいくつ多重されているかを確認する。図１７（ｂ）の例では、ＭＡＣ  ＰＤＵの中に、同一ビット列を有するＭＡＣ  ＣＥが２つ格納されている。従って、ユーザ装置ＵＥの制御部１０４は、ＣＧ＃２に対するアクティブ化又は非アクティブ化の制御であると認識する。
【００９３】
続いて、ユーザ装置ＵＥの制御部１０４は、ＭＡＣ  ＣＥに含まれるＣ１〜Ｃ７のビットを確認する。図１７（ｂ）の例では、Ｃ６ビットが「１」であるため、ユーザ装置ＵＥの制御部１０４は、ＳＣｅｌｌ＃１に対するアクティブ化又は非アクティブ化の制御であると認識する。
【００９４】
続いて、ユーザ装置ＵＥの制御部１０４は、ＣＧ＃２のＳＣｅｌｌ＃１をアクティブ化する。
【００９５】
なお、本処理手順は、ＳＣｅｌｌを非アクティブ化する場合にも適用することができる。
【００９６】
＜効果＞
以上、第一の実施の形態によれば、所定のＣＧに含まれる任意のＳＣｅｌｌに対してアクティブ化及び非アクティブ化を行う場合、既存のＭＡＣ  ＣＥフォーマットを流用して制御することが可能になる。これにより、単純にＭＡＣ  ＣＥのフォーマット長を拡大した場合と比較して、無線レイヤの信号量を削減することが可能になる。
【００９７】
また、第一の実施の形態によれば、所定のＣＧに含まれる任意のＳＣｅｌｌに対してアクティブ化及び非アクティブ化を行う場合、新たなＭＡＣ  ＣＥフォーマット又はＲＲＣ信号を用いて制御することが可能になる。これにより、単純にＭＡＣ  ＣＥのフォーマット長を拡大した場合と比較して、無線レイヤの信号量を削減することが可能になる。
【００９８】
[第二の実施の形態]
次に、第二の実施の形態について図面に基づいて説明する。
【００９９】
なお、第一の実施の形態と同一構成部分についての説明は省略する。また、特に言及しない点については、第一の実施の形態と同様でよい。
【０１００】
第二の実施の形態に係るユーザ装置ＵＥは、複数のＣＧに含まれるセルに関する最大送信電力及びＰＨの報告を基地局ｅＮＢに報告する。以下、図を用いて、基地局ｅＮＢ及びユーザ装置ＵＥの機能構成、及び複数のＣＧに含まれるセルに関する最大送信電力及びＰＨを基地局ｅＮＢに報告する際の処理手順について説明する。
【０１０１】
＜機能構成＞
（ユーザ装置）
第二の実施の形態に係るユーザ装置ＵＥは、図１１に示すように、ＤＬ信号受信部１０１、ＵＬ信号送信部１０２、ＲＲＣ（無線リソース制御）処理部１０３、及び制御部１０４を含む。
【０１０２】
制御部１０４は、ＭＡＣ  ＣＥによる特定のＣＧ及びセルを指定したコマンドを用いて、基地局ｅＮＢに最大送信電力及びＰＨを報告する。ユーザ装置ＵＥの送信電力は、所定の計算式に基づいて基地局ｅＮＢにより決定される。送信電力を算出には、各セルの伝搬損が用いられるが、各セルの伝搬損はユーザ装置ＵＥが把握している。従って、ユーザ装置ＵＥの制御部１０４は、セルごとの最大送信電力及びＰＨを基地局ｅＮＢに報告する。
【０１０３】
ＤＬ信号受信部１０１、ＵＬ信号送信部１０２、及びＲＲＣ（無線リソース制御）処理部１０３は、第一の実施の形態と同一であるため説明は省略する。
【０１０４】
（基地局）
第二の実施の形態に係る基地局ｅＮＢは、図１２に示すように、ＵＬ信号受信部２０１、ＤＬ信号送信部２０２、ＲＲＣ処理部２０３、及び制御部２０４を含む。
【０１０５】
制御部２０４は、ユーザ装置ＵＥから報告されたセルごとの最大送信電力及びＰＨを用いて、所定の計算式に基づいてユーザ装置ＵＥの送信電力を算出する。
【０１０６】
ＵＬ信号受信部２０１、ＤＬ信号送信部２０２、及びＲＲＣ処理部２０３は、第一の実施の形態と同一であるため説明は省略する。
【０１０７】
＜処理手順＞
（その１）
図１８は、最大送信電力及びＰＨの報告に係る制御（その１）の一例を示す図である。図１８を用いて、ユーザ装置ＵＥが、複数のＣＧに含まれる各セルに関する最大送信電力及びＰＨを基地局ｅＮＢに報告する場合の処理手順（その１）について説明する。
【０１０８】
従来のＬＴＥの仕様によれば、同一のＴＴＩ（Transmission Time Interval）において、複数セルでＰＵＳＣＨ送信が指示されている場合、ユーザ装置ＵＥがどのＰＵＳＣＨを介して最大送信電力及びＰＨを基地局ｅＮＢに報告するのかは、ユーザ装置ＵＥの実装に任されていた。
【０１０９】
本処理手順では、ＰＨの報告がトリガされ、かつＵＬ  ｇｒａｎｔを受信している場合、ＰＵＳＣＨ送信を行うセルに対応するＣＧに含まれるセルに関する最大送信電力及びＰＨのみをＭＡＣ  ＣＥに格納するようにする。
【０１１０】
図１８を用いて具体例を説明する。例えば、ＣＧ＃１にてＰＨの報告がトリガされ、ＰＣｅｌｌを介して基地局ｅＮＢに最大送信電力及びＰＨを送信する場合、ユーザ装置ＵＥの制御部１０４は、ＭＡＣ  ＣＥにはＣＧ＃１の各セルに関する最大送信電力及びＰＨのみを含めて送信する。図１８の例では、ＰＣｅｌｌのＰＵＳＣＨを介して基地局ｅＮＢに送信されるＭＡＣ  ＣＥにおいて、当該ＭＡＣ  ＣＥに含まれるＣ７〜Ｃ１のビットのうち、Ｃ６及びＣ７のビットが「１」に設定されている。すなわち、当該ＭＡＣ  ＣＥには、ＰＣｅｌｌ、ＳＣｅｌｌ＃１及びＳＣｅｌｌ＃２に関する最大送信電力及びＰＨが含まれていることを意味している。（尚、Rel-12までのPHR MAC CEのプロトコルフォーマットではPCellに関するCiフィールドは含まれないが、以降は便宜上PCellに対してもCiフィールドが設定される前提とする）また、当該ＭＡＣ  ＣＥは、ＰＣｅｌｌを介して基地局ｅＮＢに伝えられる。従って、基地局ｅＮＢの制御部２０４は、当該ＭＡＣ  ＣＥはＣＧ＃１の各セルに関する最大送信電力及びＰＨの報告であると認識することができる。
【０１１１】
次に、ＣＧ＃２にてＰＨの報告がトリガされ、ＣＧ＃２に含まれる各セルのうち、ＰＵＳＣＨ送信が可能なＳＣｅｌｌ＃０を介して基地局ｅＮＢに最大送信電力及びＰＨを送信する場合、ユーザ装置ＵＥの制御部１０４は、ＭＡＣ  ＣＥにはＣＧ＃２のセルに関する最大送信電力及びＰＨのみを含めて送信する。図１８の例では、ＣＧ＃２のＳＣｅｌｌ＃０に設定されているＰＵＳＣＨを介して基地局ｅＮＢに送信されるＭＡＣ  ＣＥにおいて、当該ＭＡＣ  ＣＥに含まれるＣ７〜Ｃ１のビットのうち、Ｃ７のビットが「１」に設定されている。すなわち、当該ＭＡＣ  ＣＥには、ＳＣｅｌｌ＃０に関する最大送信電力及びＰＨが含まれていることを意味している。また、当該ＭＡＣ  ＣＥは、ＣＧ＃２のＳＣｅｌｌ＃０を介して基地局ｅＮＢに伝えられる。従って、基地局ｅＮＢの制御部２０４は、当該ＭＡＣ  ＣＥはＣＧ＃２の各セルに関する最大送信電力及びＰＨの報告であると認識することができる。
【０１１２】
（その２）
図１９は、最大送信電力及びＰＨの報告に係る制御（その２）の一例を示す図である。図１９を用いて、ユーザ装置ＵＥが、複数のＣＧに含まれる各セルに関する最大送信電力及びＰＨを基地局ｅＮＢに報告する場合の処理手順（その２）について説明する。
【０１１３】
本処理手順では、最大送信電力及びＰＨの報告に用いられるＭＡＣ  ＣＥの予約ビットを用いることで、基地局ｅＮＢ及びユーザ装置ＵＥは、どのＣＧに含まれるセルに関する最大送信電力及びＰＨの報告であるかを認識するようにする。例えば、ＭＡＣ  ＣＥに含まれる予約ビットが「０」の場合、当該ＭＡＣ  ＣＥはＣＧ＃１に含まれるセルに関する最大送信電力及びＰＨを報告するようにし、ＭＡＣ  ＣＥに含まれる予約ビットが「１」の場合、当該ＭＡＣ  ＣＥはＣＧ＃２に含まれるセルに関する最大送信電力及びＰＨを報告するようにする。また、基地局ｅＮＢ及びユーザ装置ＵＥは、予約ビットとＣＧとの対応付けを示す情報を、例えばＲＲＣ信号等を用いて基地局ｅＮＢからユーザ装置ＵＥに送信することで、お互いに記憶しておく。
【０１１４】
図１９を用いて具体例を説明する。ＣＧ＃２のＳＣｅｌｌ＃０に関する最大送信電力及びＰＨを基地局ｅＮＢに報告する場合、ユーザ装置ＵＥは、ＭＡＣ  ＣＥに含まれる予約ビットを「１」に設定すると共に、Ｃ７のビットを「１」に設定して、ＣＧ＃１のＰＣｅｌｌを介して基地局ｅＮＢに送信する。これにより、基地局ｅＮＢは、ユーザ装置ＵＥから送信されたＭＡＣ  ＣＥに含まれる最大送信電力及びＰＨは、ＣＧ＃２のＳＣｅｌｌ＃０に関する最大送信電力及びＰＨであると認識することができる。
【０１１５】
（その３）
図２０は、最大送信電力及びＰＨの報告に係る制御（その３）の一例を示す図である。図２０を用いて、ユーザ装置ＵＥが、複数のＣＧに含まれる各セルに関する最大送信電力及びＰＨを基地局ｅＮＢに報告する場合の処理手順（その３）について説明する。
【０１１６】
最大送信電力及びＰＨの報告に用いられるＭＡＣ  ＣＥは、ＰＵＳＣＨが割り当てられているセルを介してユーザ装置ＵＥから基地局ｅＮＢに通知される。従って、ユーザ装置ＵＥは、ＰＵＳＣＨが割り当てられていないセルを介してＭＡＣ  ＣＥを基地局ｅＮＢに送信することができない。しかしながら、ＰＵＣＣＨ送信実施されるセルが存在する場合、ユーザ装置ＵＥは、当該セルに関する最大送信電力及びＰＨを基地局ｅＮＢに報告する必要がある。
【０１１７】
例えば図２０（ａ）に示すように、ＣＧ＃１のＰＣｅｌｌ、ＳＣｅｌｌ＃０及びＳＣｅｌｌ＃１にはＰＵＳＣＨが割り当てられており、更に、ＣＧ＃２のＳＣｅｌｌ＃０にはＰＵＣＣＨ送信がトリガされている。このような場合、ユーザ装置ＵＥは、ＣＧ＃２のＳＣｅｌｌ＃０を介してＭＡＣ  ＣＥを基地局ｅＮＢに送信することができない。すなわち、処理手順（その１）で説明したように、ユーザ装置ＵＥから基地局ｅＮＢにＭＡＣ  ＣＥを送信する場合に、ＰＵＳＣＨ送信を行うセルに対応するＣＧに含まれるセルのみに関する最大送信電力及びＰＨを、ＭＡＣ  ＣＥに含めるようにして基地局ｅＮＢに通知することができない。
【０１１８】
そこで、本処理手順では、ＰＵＣＣＨ送信のみがトリガされているセルに関する最大送信電力及びＰＨを、他のＣＧのセルを介して基地局ｅＮＢに通知するようにする。
【０１１９】
図２０（ｂ１）を用いて具体例を説明する。図２０（ｂ１）は、ユーザ装置ＵＥ及び基地局ｅＮＢの間に設定されている全てのＣＧに関するＴｙｐｅ２のＰＨが含まれるＭＡＣ  ＣＥフォーマットの一例を示している。最大送信電力及びＰＨの報告に用いられるＭＡＣ  ＣＥのうち、Ｐｃｍａｘ，ｃを格納する領域には、予約ビット（図２０（ｂ１）のＥに示す位置）が存在する。従って、この予約ビットに「１」が設定されている場合、後続の１オクテットには他のＣＧに関するＴｙｐｅ２  ＰＨが順に格納されていることを示すようにする。図２０（ｂ１）に示すＭＡＣ  ＣＥフォーマットを用いることで、ユーザ装置ＵＥは、ＰＵＳＣＨが割り当てられているセルを介して、全てのＣＧに関する最大送信電力及びＰＨを基地局ｅＮＢに報告することが可能になる。尚、図２０（ｂ１）に示すＭＡＣ  ＣＥフォーマットを用いる場合、常に複数のＣＧのＴｙｐｅ２  ＰＨを含めるため、オーバヘッドの観点で懸念がある。そこで、他のＴｙｐｅ２  ＰＨを含める際に、所定の条件を用いてオーバヘッドの懸念を解消することも考えられる。例えば、ＰＨを報告するセルのＰＵＳＣＨ送信に十分なビットが割り当てられている場合（例えば、トランスポートブロックサイズが所定サイズ以上の場合）にのみ他ＣＧのＴｙｐｅ２  ＰＨを含めたり、ＣＧ数が３つ以上の場合には予めＣＧ間の関連付けを行っておき、関連付けられているＣＧのＴｙｐｅ２  ＰＨのみを含めることで周波数的に、或いは、時間的に報告を行うリソースが変更・分散されてもよい。
【０１２０】
続いて、図２０（ｂ２）を用いて、他の具体例を説明する。例えば、ＰＵＣＣＨが割り当てられているセルが存在しないＣＧについては、ユーザ装置ＵＥは基地局ｅＮＢにＴｙｐｅ２  ＰＨを報告する必要がない。そこで、ＭＡＣ  ＣＥのうち、Ｐｃｍａｘ，ｃを格納する領域に存在する予約ビットを用いて、どのＣＧに関するＴｙｐｅ２  ＰＨなのかを指定可能にする。これにより、ＭＡＣ  ＣＥに格納されるデータの量を削減することができる。
【０１２１】
図２０（ｂ２）に示すように、例えば、Ｐｃｍａｘ，ｃを格納する領域に存在する予約ビットに「１、０」が設定されている場合、後続のオクテットにはＣＧ＃２に関するＴｙｐｅ２  ＰＨが格納されていることを示すようにする。また、Ｐｃｍａｘ，ｃを格納する領域に存在する予約ビットに「１、１」が設定されている場合、後続のオクテットにはＣＧ＃３に関するＴｙｐｅ２  ＰＨが格納されていることを示すようにする。なお、予約ビットとＣＧとの対応付けについては、図２０（ｂ２）に示される場合に限られない。例えば、予約ビットが「０、１」である場合はＣＧ＃２を示し、「１、０」である場合はＣＧ＃３を示し、「１、１」である場合はＣＧ＃４を示すようにしてもよい。
【０１２２】
＜効果＞
以上、第二の実施の形態によれば、各ＣＧに含まれるセルに関する最大送信電力及びＰＨの報告において、基地局ｅＮＢ及びユーザ装置ＵＥは、既存のＭＡＣ  ＣＥフォーマットを流用しつつ、どのＣＧに含まれるセルの最大送信電力及びＰＨであるかを識別することが可能になる。これにより、単純にＭＡＣ  ＣＥのフォーマット長を拡大した場合と比較して、無線レイヤの信号量を削減することが可能になる。
【０１２３】
[第三の実施の形態]
次に、第三の実施の形態について図面に基づいて説明する。
【０１２４】
なお、第一の実施の形態又は第二の実施の形態と同一構成部分についての説明は省略する。また、特に言及しない点については、第一の実施の形態又は第二の実施の形態と同様でよい。
【０１２５】
第三の実施の形態に係る基地局ｅＮＢは、複数のＣＧで異なるＴＡＧが設定されている場合において、基地局ｅＮＢがユーザ装置ＵＥにＴＡ  Ｃｏｍｍａｎｄに関するＭＡＣ  ＣＥを送信する際、どのＣＧのＴＡＧに対するＴＡ  Ｃｏｍｍａｎｄなのかを識別可能にする。以下、図を用いて、基地局ｅＮＢ及びユーザ装置ＵＥの機能構成、及び基地局ｅＮＢがＴＡ  Ｃｏｍｍａｎｄをユーザ装置ＵＥに送信する際の処理手順について説明する。
【０１２６】
＜機能構成＞
（ユーザ装置）
第三の実施の形態に係るユーザ装置ＵＥは、図１１に示すように、ＤＬ信号受信部１０１、ＵＬ信号送信部１０２、ＲＲＣ（無線リソース制御）処理部１０３、及び制御部１０４を含む。
【０１２７】
制御部１０４は、ＭＡＣ  ＣＥによる特定のＣＧ及びＴＡＧを指定したＴＡ  Ｃｏｍｍａｎｄコマンドを基地局ｅＮＢから受信し、指定されたタイミングでＵＬ送信を行うように制御する。
【０１２８】
ＤＬ信号受信部１０１、ＵＬ信号送信部１０２、及びＲＲＣ（無線リソース制御）処理部１０３は、第一の実施の形態と同一であるため説明は省略する。
【０１２９】
（基地局）
第三の実施の形態に係る基地局ｅＮＢは、図１２に示すように、ＵＬ信号受信部２０１、ＤＬ信号送信部２０２、ＲＲＣ処理部２０３、及び制御部２０４を含む。
【０１３０】
制御部２０４は、ＭＡＣ  ＣＥによる特定のＣＧ及びＴＡＧを指定したＴＡ  Ｃｏｍｍａｎｄコマンドを用いて、ユーザ装置ＵＥに対してＴＡ制御を行う。
【０１３１】
ＵＬ信号受信部２０１、ＤＬ信号送信部２０２、及びＲＲＣ処理部２０３は、第一の実施の形態と同一であるため説明は省略する。
【０１３２】
＜処理手順＞
（その１）
図２１は、ＴＡ制御（その１）の一例を示す図である。本処理手順では、ユーザ装置ＵＥは、ＴＡ制御に関するＭＡＣ  ＣＥを受信した場合、当該ＭＡＣ  ＣＥを受信したセルに対応するＣＧに設定されているＴＡＧに対してＴＡ制御が指示されたと認識するようにする。
【０１３３】
図２１（ａ）を用いて具体例を説明する。例えば、基地局ｅＮＢから、ＣＧ＃１のＳＣｅｌｌ＃０を介してＴＡ制御に関するＭＡＣ  ＣＥが送信された場合、ユーザ装置ＵＥの制御部１０４は、当該ＴＡ制御はＣＧ＃１に含まれるＴＡＧ＃０〜ＴＡＧ＃２に関するＴＡ制御であると認識する。
【０１３４】
続いて、ユーザ装置ＵＥの制御部１０４は、ＭＡＣ  ＣＥに含まれている、ＴＡＧを識別するビット（ＴＡＧｉｄ）を参照する。図２１（ａ）では、ＴＡＧを識別するビットに「０、０」が設定されていることから、ユーザ装置ＵＥの制御部１０４は、当該ＴＡ制御はＴＡＧ＃０に関するＴＡ制御であると認識する。これにより、ユーザ装置ＵＥの制御部１０４は、ＣＧ＃１のＴＡＧ＃０に係るセルのＵＬ送信タイミングを制御することができる。
【０１３５】
次に、図２１（ｂ）を用いて別の具体例を説明する。例えば、基地局ｅＮＢから、ＣＧ＃２のＳＣｅｌｌ＃１を介してＴＡ制御に関するＭＡＣ  ＣＥが送信された場合、ユーザ装置ＵＥの制御部１０４は、当該ＴＡ制御はＣＧ＃２に含まれるＴＡＧ＃０〜ＴＡＧ＃２に関するＴＡ制御であると認識する。
【０１３６】
続いて、ユーザ装置ＵＥの制御部１０４は、ＭＡＣ  ＣＥに含まれるＴＡＧを示すビットを参照する。図２１（ｂ）では、ＴＡＧを示すビットに「０、１」が設定されていることから、ユーザ装置ＵＥの制御部１０４は、当該ＴＡ制御はＴＡＧ＃１に関するＴＡ制御であると認識する。これにより、ユーザ装置ＵＥの制御部１０４は、ＣＧ＃２のＴＡＧ＃１に係るセルのＵＬ送信タイミングを制御することができる。
【０１３７】
（その２）
図２２は、ＴＡ制御（その２）の一例を示す図である。本処理手順では、基地局ｅＮＢ及びユーザ装置ＵＥは、同一のビットを含むＭＡＣ  ＣＥの多重度に基づいて、どのＣＧに対するＴＡ制御であるかを認識するようにする。
【０１３８】
図２２を用いて具体例を説明する。まず、ユーザ装置ＵＥの制御部１０４は、同一のビット列を含むＭＡＣ  ＣＥがいくつ多重されているかを確認する。図２２（ａ）の例では、ＭＡＣ  ＰＤＵの中に、同一ビット列を有するＭＡＣ  ＣＥが１つ格納されている。従って、ユーザ装置ＵＥの制御部１０４は、ＣＧ＃１に対するＴＡ制御であると認識する。
【０１３９】
続いて、ユーザ装置ＵＥの制御部１０４は、ＭＡＣ  ＣＥに含まれるＴＡＧを識別するビット（ＴＡＧｉｄ）を参照する。図２２（ａ）の例では、ＴＡＧを識別するビットに「０、０」が設定されていることから、ユーザ装置ＵＥの制御部１０４は、当該ＴＡ制御はＴＡＧ＃０に関するＴＡ制御であると認識する。これにより、ユーザ装置ＵＥの制御部１０４は、ＣＧ＃１のＴＡＧ＃０に係るセルのＵＬ送信タイミングを制御することができる。
【０１４０】
次に、図２２（ｂ）を用いて別の具体例を説明する。まず、ユーザ装置ＵＥの制御部１０４は、同一のビット列を含むＭＡＣ  ＣＥがいくつ多重されているかを確認する。図２２（ｂ）の例では、ＭＡＣ  ＰＤＵの中に、同一ビット列を有するＭＡＣ  ＣＥが２つ格納されている。従って、ユーザ装置ＵＥの制御部１０４は、ＣＧ＃２に対するＴＡ制御であると認識する。
【０１４１】
続いて、ユーザ装置ＵＥの制御部１０４は、ＭＡＣ  ＣＥに含まれている、ＴＡＧを識別するビットを参照する。図２２（ｂ）の例では、ＴＡＧを識別するビットに「０、０」が設定されていることから、ユーザ装置ＵＥの制御部１０４は、当該ＴＡ制御はＴＡＧ＃０に関するＴＡ制御であると認識する。これにより、ユーザ装置ＵＥの制御部１０４は、ＣＧ＃２のＴＡＧ＃０に係るＰＣｅｌｌのＵＬ送信タイミングを制御することができる。
【０１４２】
＜効果＞
以上、第三の実施の形態によれば、各ＣＧに含まれるＴＡＧに関するＴＡ制御において、基地局ｅＮＢ及びユーザ装置ＵＥは、既存のＭＡＣ  ＣＥフォーマットを流用しつつ、どのＣＧに含まれるＴＡＧに対するＴＡ制御であるかを識別することが可能になる。これにより、単純にＭＡＣ  ＣＥのフォーマット長を拡大した場合と比較して、無線レイヤの信号量を削減することが可能になる。
【０１４３】
＜実施形態の補足＞
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１４４】
本発明は上記実施形態に限定されず、本発明の精神から逸脱することなく、様々な変形例、修正例、代替例、置換例等が本発明に包含される。
【符号の説明】
【０１４５】
ＵＥ    ユーザ装置
ｅＮＢ  基地局
１０１  ＤＬ信号受信部
１０２  ＵＬ信号送信部
１０３  ＲＲＣ処理部
１０４  制御部
２０１  ＵＬ信号受信部
２０２  ＤＬ信号送信部
２０３  ＲＲＣ処理部
２０４  制御部
【図１】
2016143923.tif 000003
【図２】
2016143923.tif 000004
【図３】
2016143923.tif 000005
【図４】
2016143923.tif 000006
【図５】
2016143923.tif 000007
【図６】
2016143923.tif 000008
【図７】
2016143923.tif 000009
【図８】
2016143923.tif 000010
【図９】
2016143923.tif 000011
【図１０】
2016143923.tif 000012
【図１１】
2016143923.tif 000013
【図１２】
2016143923.tif 000014
【図１３】
2016143923.tif 000015
【図１４】
2016143923.tif 000016
【図１５】
2016143923.tif 000017
【図１６】
2016143923.tif 000018
【図１７】
2016143923.tif 000019
【図１８】
2016143923.tif 000020
【図１９】
2016143923.tif 000021
【図２０】
2016143923.tif 000022
【図２１】
2016143923.tif 000023
【図２２】
2016143923.tif 000024